(57)【要約】【課題】中継器単位で異常発生場所を判り易く表示することのできる火災受信機を得る。【解決手段】複数の感知器を感知器回線ごとにグループ化し、複数の中継器のいずれかと接続し、複数の感知器のそれぞれの異常発生状態を、複数の中継器のそれぞれを介して検出する火災受信機であって、異常発生状態と切り換えボタンを表示する表示操作部２２と、異常発生状態の通報を受けた際に、中継器のアドレス情報を表示させるとともに、切り換えボタンからの操作入力を受けた場合には、メッセージ情報を一括して切り換え表示させる制御部２１とを備える。【選択図】図２
2010225061.tif 000002
【特許請求の範囲】
【請求項１】
下位階層に設けられた複数の感知器を感知器回線ごとにグループ化し、それぞれのグループごとに中位階層に設けられた複数の中継器のいずれかと接続することで階層構造化とし、前記複数の感知器のそれぞれの異常発生状態を、前記複数の中継器のそれぞれを介して検出する火災受信機であって、
前記異常発生状態に関する情報を表示するとともに、所望の表示内容を選択するための切り換えボタンを表示する表示操作部と、
前記複数の感知器のいずれかから異常発生状態の通報を受けた際に、異常が発生した感知器回線に対応する中継器のアドレス情報を前記表示操作部に表示させるとともに、前記表示操作部に表示された前記切り換えボタンからの操作入力を受けた場合には、異常が発生した感知器回線内の感知器に対応するメッセージ情報を一括して前記表示操作部に切り換え表示させる制御部と
を備えたことを特徴とする火災受信機。
【請求項２】
下位階層に設けられた複数の感知器を感知器回線ごとにグループ化し、それぞれのグループごとに中位階層に設けられた複数の中継器のいずれかと接続することで階層構造化とし、前記複数の感知器のそれぞれの異常発生状態を、前記複数の中継器のそれぞれを介して検出する火災受信機であって、
前記複数の中継器のそれぞれに割り付けられたアドレス情報と、前記複数の中継器のそれぞれが有する１以上の感知器回線番号情報と、それぞれの感知器回線に接続される同一グループ内の感知器のそれぞれに割り付けられた通番情報と、前記複数の感知器のそれぞれに固有に割り付けられたメッセージ情報とで構成されるデータベースが、前記階層構造化を規定するためにあらかじめ記憶されている記憶部と、
前記異常発生状態に関する情報を表示するとともに、所望の表示内容を選択するための切り換えボタンを表示する表示操作部と、
前記複数の感知器のいずれかから異常発生状態の通報を受けた際に、前記通報および前記データベース内の情報に基づいて、異常が発生した感知器回線に対応する中継器のアドレス情報および感知器回線番号情報を前記表示操作部に表示させるとともに、前記表示操作部に表示された前記切り換えボタンからの操作入力を受けた場合には、異常が発生した感知器回線内の感知器に対応するメッセージ情報を一括して前記表示操作部に切り換え表示させる制御部と
を備えたことを特徴とする火災受信機。
【請求項３】
請求項２に記載の火災受信機において、
前記データベースは、前記複数の中継器のそれぞれに割り付けられたアドレス情報と、前記複数の中継器のそれぞれが有する１以上の感知器回線番号情報と、それぞれの感知器回線に接続される感知器のそれぞれに割り付けられた通番情報とで構成される標準データベースと、
前記標準データベースの前記アドレス情報、前記感知器回線番号情報、前記感知器の通番情報に対応するメッセージ情報で構成される追加データベースと
で構成されることを特徴とする火災受信機。
【請求項４】
請求項１ないし３のいずれか１項に記載の火災受信機において、
前記表示操作部は、
異常が発生した感知器回線に対応する中継器のアドレス情報および感知器回線番号情報を表示するとともに、異常が発生した感知器回線内の感知器の通番情報を表示させるための第１の切り換えボタンを表示する第１サブ画面と、
前記異常が発生した感知器回線内の感知器の通番情報を表示するとともに、前記感知器回線内の感知器に対応するメッセージ情報を表示させるための第２の切り換えボタンを表示する第２サブ画面と、
前記異常が発生した感知器回線内の感知器の通番情報と前記メッセージ情報とを対応付けて表示する第３サブ画面と
を前記異常発生状態に関する情報を表示するための画面として有し、
前記制御部は、
前記複数の感知器のいずれかから異常発生状態の通報を受けた際には、前記表示操作部に前記第１サブ画面を表示させ、
前記第１サブ画面を表示中に前記第１の切り換えボタンからの操作入力を受けた場合には、前記表示操作部に前記第２サブ画面を切り換え表示させ、
前記第２サブ画面を表示中に前記第２の切り換えボタンからの操作入力を受けた場合には、前記表示操作部に前記第３サブ画面を切り換え表示させる
ことを特徴とする火災受信機。
【請求項５】
請求項４に記載の火災受信機において、
前記制御部は、前記追加データベース内に前記メッセージ情報が記憶されていない場合には、前記第２の切り換えボタンからの操作入力を受けた際にも、前記第３サブ画面を切り換え表示させない
ことを特徴とする火災受信機。
【発明の詳細な説明】
【技術分野】
【０００１】
本発明は、異常が発生した火災感知器の場所を容易に認識することのできる火災受信機に関し、特に、感知器単回線単位で感知器の異常状態の表示を行う火災受信機に関するものである。
【背景技術】
【０００２】
火災受信機から引き出された伝送路に中継器を接続するとともに、中継器から引き出された感知器回線に複数の火災感知器を接続した火災報知設備において、異常発生場所を迅速に知らせる従来技術がある（例えば、特許文献１参照）。
【０００３】
特許文献１では、火災発報表示の際に、中継器アドレスや感知器の通番に対応して、部屋番号等を示す任意番号も表示するようにして、任意番号から発報した火災感知器の設置場所などの現場状況を迅速に認識して、適切な火災対処処置をとることができる。また、任意番号に近接して同一感知器回線の感知器発報数が表示され、さらに、その近傍のシフトスイッチの操作で、発報感知器の任意番号を切り換え表示できるようにしている。
【先行技術文献】
【特許文献】
【０００４】
【特許文献１】特開２００７−２６５３５３号公報
【発明の概要】
【発明が解決しようとする課題】
【０００５】
しかしながら、従来技術には、以下のような課題がある。
特許文献１に示された火災受信機では、全ての発報感知器の任意番号を認識するためには、発報感知器の個数分だけシフトスイッチを操作する必要があった。
【０００６】
本発明は、前記のような課題を解決するためになされたものであり、中継器から引き出された感知器回線単位で異常発生場所を判り易く表示することのできる火災受信機を得ることを目的とする。
【課題を解決するための手段】
【０００７】
本発明に係る火災受信機は、下位階層に設けられた複数の感知器を感知器回線ごとにグループ化し、それぞれのグループごとに中位階層に設けられた複数の中継器のいずれかと接続することで階層構造化とし、複数の感知器のそれぞれの異常発生状態を、複数の中継器のそれぞれを介して検出する火災受信機であって、異常発生状態に関する情報を表示するとともに、所望の表示内容を選択するための切り換えボタンを表示する表示操作部と、複数の感知器のいずれかから異常発生状態の通報を受けた際に、異常が発生した感知器回線に対応する中継器のアドレス情報を表示操作部に表示させるとともに、表示操作部に表示された切り換えボタンからの操作入力を受けた場合には、異常が発生した感知器回線内の感知器に対応するメッセージ情報を一括して表示操作部に切り換え表示させる制御部とを備えるものである。
【発明の効果】
【０００８】
本発明に係る火災受信機によれば、異常発生した感知器を感知器回線単位で表示する際に、それぞれの感知器に固有に割り付けられたメッセージ情報も合わせて一括して表示させることができ、感知器回線単位で異常発生場所を判り易く表示することのできる火災受信機を得ることができる。
【図面の簡単な説明】
【０００９】
【図１】本発明の実施の形態１における火災受信機を含むシステムの全体構成図である。
【図２】本発明の実施の形態１における火災受信機の構成図である。
【図３】本発明の実施の形態１における火災受信機の表示操作部に表示される画面レイアウトの一例を示した図である。
【図４】本発明の実施の形態１における火災受信機の表示操作部に表示される画面レイアウトの一例を示した図である。
【図５】本発明の実施の形態１における火災受信機が有している標準データベースの説明図である。
【図６】本発明の実施の形態１における火災受信機が有している追加データベースの説明図である。
【発明を実施するための形態】
【００１０】
以下、本発明の火災受信機の好適な実施の形態につき図面を用いて説明する。
【００１１】
実施の形態１．
まず始めに、システムの全体像について説明する。
図１は、本発明の実施の形態１における火災受信機を含むシステムの全体構成図である。火災受信機２０は、信号線ＳＧを介して、各種の端末機器が接続されていて、端末機器としては、光電式アナログ感知器ＳＥ１１、熱アナログ感知器ＳＥ１２、アドレッサブル発信機ＳＥ１３、感知器用中継器Ｃ１１、および防排煙制御用中継器Ｄ１１などが接続されている。
【００１２】
また、感知器用中継器Ｃ１１には、自動試験機能付き感知器（ＡＴＦ感知器）が複数台接続されている。また、防排煙制御用中継器Ｄ１１には、防火戸Ｄ１１１、排煙機Ｄ１１２、シャッタＤ１１３、およびたれ壁Ｄ１１４が接続されている。このような構成により、火災受信機２０は、あらかじめ決められた様々な場所に設置されている種々の感知器等から情報を収集している。火災受信機２０は、収集した情報に火災の情報が含まれている場合には、火災警報を行うとともに、防排煙制御様中継器Ｄ１１などに制御命令を送信して、防火戸Ｄ１１１などを作動させて延焼を防ぐ。
【００１３】
ここで、様々な場所に設置されているＡＴＦ感知器（図１におけるＣ１１１〜Ｃ１１４、Ｃ１２１〜Ｃ１２４に相当）と、感知器用中継器Ｃ１１に着目する。この場合、最上位層に火災受信機２０があり、中位層に感知器用中継器Ｃ１１が配置され、下位層に複数のＡＴＦ感知器が配置されており、階層構造となっている。
【００１４】
さらに、下位層に配置された複数のＡＴＦ感知器は、感知器回線ごとにグループ化されている。図１においては、Ｃ１１１〜Ｃ１１４と、Ｃ１２１〜Ｃ１２４の２感知器回線にグループ化されている場合を例示している。
【００１５】
本発明における火災受信機２０は、中継器から引き出された感知器回線単位で異常発生場所を判り易く表示することができる点を技術的特徴としている。そこで、本願の技術的特徴について、感知器用中継器Ｃ１１および各ＡＴＦ感知器からなる階層構造を例に、以下に詳細に説明する。
【００１６】
図２は、本発明の実施の形態１における火災受信機の構成図であり、最上位層の火災受信機２０、中位層の感知器用中継器Ｃ１１、および２感知器回線にグループ化された複数のＡＴＦ感知器を備えている。
【００１７】
また、図２における火災受信機２０は、制御部２１、表示操作部２２、記憶部２３、および送受信部２４を備えている。また、感知器用中継器Ｃ１１は、制御部３１、送受信部３２、感知器回線Ｌ１送受信部３３ａ、感知器回線Ｌ２送受信部３３ｂを備えている。さらに、感知器回線Ｌ１および感知器回線Ｌ２にグループ化されて接続されたＡＴＦ感知器は、それぞれ通番１〜３０の３０台で構成されている。
【００１８】
この図２を用いて、まず始めに、感知器用中継器Ｃ１１と各ＡＴＦ感知器との間の通信について説明し、次に、火災受信機２０と感知器用中継器Ｃ１１との間の通信について説明する。
【００１９】
［感知器用中継器Ｃ１１と各ＡＴＦ感知器との間の通信］
この間の通信は、感知器用中継器Ｃ１１内の感知器回線Ｌ１送受信部３３ａ、感知器回線Ｌ２送受信部３３ｂを介して、制御部３１が、各ＡＴＦ感知器と行うこととなる。この際、制御部３１は、グループ化された感知器回線ごと（すなわち、それぞれ感知器回線Ｌ１送受信部３３ａ、感知器回線Ｌ２送受信部３３ｂごと）に通信制御を行うこととなる。
【００２０】
感知器用中継器Ｃ１１は、複数接続されているＡＴＦ感知器の状態を収集するために、何台かを１つのグループとして、グループ内の各ＡＴＦ感知器に問いかけを行う。その問いかけとして感知器用中継器Ｃ１１は、ＡＴＦ感知器に対して状態情報を返送するように状態情報要求命令を送信する。感知器用中継器Ｃ１１は、状態情報要求命令の送信に続いてグループとしたＡＴＦ感知器の数だけ所定の間隔で基準パルスを送信する。
【００２１】
一方、その問いかけに対して、各ＡＴＦ感知器は、自己のアドレスに応じた感知器用中継器Ｃ１１が送信する基準パルスに続いて、自己の状態に対応した所定のパルス幅の信号によって状態情報を、感知器用中継器Ｃ１１に返送（通報）する。各ＡＴＦ感知器に固有のパルス信号を受信することで、感知器用中継器Ｃ１１は、それぞれのＡＴＦ感知器の状態を収集することができる。
【００２２】
ここで、感知器用中継器Ｃ１１は、ＡＴＦ感知器からの通報信号のパルスの幅によって、例えば、２ｍｓ幅のパルスの信号であれば正常状態であり、４ｍｓ幅のパルスの信号であれば火災を検出するセンサが異常状態である出力値異常状態と判定して、ＡＴＦ感知器からのパルスの信号が無い場合には、ＡＴＦ感知器が取り外されている、または通信できない状態である無応答であると判断する。なお、感知器用中継器Ｃ１１から各ＡＴＦ感知器への問いかけは、感知器用中継器Ｃ１１が定期的に行ってもよいし、火災受信機２０からの命令に応じて行ってもよい。
【００２３】
［火災受信機２０と感知器用中継器Ｃ１１との間の通信］
この間の通信は、それぞれの制御部２１、３１が、それぞれの送受信部２４、３２を介して行うこととなる。
【００２４】
（１）通常の通信方法について
火災受信機２０は、中位層に設けられ、信号線ＳＧに接続された各端末機器（図１参照）の状態情報を収集するため、各端末機器と通信を行い、その一環として、感知器用中継器Ｃ１１とも通信を行う。一方、感知器用中継器Ｃ１１は、感知器回線ごとにグループ化された複数のＡＴＦ感知器と接続されている（図１参照）。
【００２５】
火災受信機２０は、感知器用中継器Ｃ１１等の各端末機器との間で、以下の３種の方法により端末機器の状態情報を収集することができる。
（方法１）ポイントポーリング
火災受信機２０は、感知器用中継器Ｃ１１を含む複数接続されている端末機器の状態を収集するために、何台かを１つのグループとして端末機器に状態情報要求命令を送信する。一方、それぞれの端末機器は、状態情報要求命令に対して、自己のアドレスに応じてタイミングをはかり、状態情報を火災受信機２０に通報する。火災受信機２０は、このようなグループへの通信を繰り返し行い、全端末機器の状態情報を収集する。
【００２６】
ここで感知器用中継器Ｃ１１の状態情報には、感知器用中継器Ｃ１１自身の状態情報とともに、感知器回線に接続されているＡＴＦ感知器が全て正常であるか、または異常が発生しているＡＴＦ感知器が存在するかの情報を含んでいる。
【００２７】
なお、火災受信機２０は、各ＡＴＦ感知器に割り当てられた個別のアドレスを指定し、感知器用中継器Ｃ１１を介して、全てのＡＴＦ感知器に対して繰り返しそれぞれのＡＴＦ感知器に問合せを行って、それぞれのＡＴＦ感知器は、その問いかけに対して、自己のアドレスに応じてタイミングをはかり、状態情報を、感知器用中継器Ｃ１１を介して火災受信機２０に通報するようにしてもよい。
【００２８】
（方法２）セレクティング
火災受信機２０は、所望の端末機器に対応するアドレスを指定して所定の制御命令を送信し、当該端末機器を制御する、あるいは、所望の端末機器に状態情報等の要求命令を送信し、個々の端末機器から状態情報を収集することができる。アドレスを指定された端末機器は、制御命令に対して火災受信機２０へ制御結果を通報したり、要求された状態情報を通報したりする。
【００２９】
（方法３）システムポーリング
火災受信機２０は、全ての端末機器に対して共通の制御命令を送信し、各端末機器を制御することができる。ここで、システムポーリングによる制御命令としては、例えば、火災復旧命令（火災信号を出力した感知器や中継器等を正常な監視状態に復旧させる命令）、地区音響停止命令（鳴動中の地区ベルを停止させる命令）等がある。
【００３０】
（２）異常発生状態の情報の収集について
火災受信機２０は、ポイントポーリングで収集した感知器用中継器Ｃ１１の状態情報に異常発生状態の情報（異常が発生しているＡＴＦ感知器が存在する）が含まれている場合には、送信元の感知器用中継器Ｃ１１に対して異常状態情報要求（セレクティング）を送信し、その感知器用中継器Ｃ１１から異常なＡＴＦ感知器の通番と異常情報（無応答、出力値異常など）を収集する。
【００３１】
このようにして、火災受信機２０は、中継器（図１における感知器用中継器Ｃ１１に相当）を介して、各感知器（図２における感知器用中継器Ｃ１１に接続された複数のＡＴＦ感知器に相当）の状態情報を取得することができる。
【００３２】
上述したように、本発明における火災受信機２０は、感知器回線単位で異常発生場所を判り易く表示することを技術的特徴としている。そこで、次に、火災受信機２０の表示操作部２２に表示される画面について、具体的に説明する。
【００３３】
まず始めに、具体的な画面レイアウトについて説明する。図３、図４は、本発明の実施の形態１における火災受信機の表示操作部に表示される画面レイアウトの一例を示した図である。ここでは、先の図２に示した構成に基づき、感知器回線Ｌ１に接続されている通番０１〜３０までの３０台のＡＴＦ感知器の通報表示を行った場合を例示している。
【００３４】
図３は、ＡＴＦ感知器に異常が発生した際に、「通番」ボタンを操作したことにより表示される画面レイアウトを示している。図３の上段に示した「監視線異常」のサブ画面（第１サブ画面に相当）は、異常発生状態を通報してきた中継器のアドレス情報と感知器回線情報を表示するとともに、表示切り換え用のボタンとして「通番」ボタン（第１の切り換えボタンに相当）を表示している。
【００３５】
そして、この「通番」ボタンが押されることで、下段の「通番一覧」のサブ画面（第２サブ画面に相当）が表示される。この「通番一覧」には、「無応答」であったＡＴＦ感知器の通番と、「出力値異常」の通報があったＡＴＦ感知器の通番とが、一覧表示されている。
【００３６】
さらに、この「通番一覧」のウィンドウの右上には、「詳細」ボタン（第２の切り換えボタンに相当）と「消去」ボタンが設けられている。「消去」ボタンが押された場合には、「通番一覧」のサブ画面が消える。一方、「詳細」ボタンが押された場合には、図４に示すような、「無応答」あるいは「出力値異常」の通報があったＡＴＦ感知器の詳細情報（第３サブ画面に相当）を表示する。図４のように、通番に対応した詳細メッセージを表示することで、オペレータは、異常発生場所を容易に把握することができる。
【００３７】
なお、本実施の形態では、感知器回線単位でＡＴＦ感知器の「通番一覧」の異常表示を行っているが、複数の感知器回線または中継器単位で異常表示を行うようにしてもよい。その場合には、「監視線異常」のサブ画面（第１サブ画面）に異常発生状態を通報してきた中継器のアドレス情報を表示して、「通番一覧」のサブ画面（第２のサブ画面）に中継器が有する複数または全ての感知器回線について感知器回線ごとに「無応答」であったＡＴＦ感知器の通番と、「出力値異常」であったＡＴＦ感知器の通番とを一括して表示して、詳細情報（第３サブ画面）に感知器回線と通番に対応した詳細メッセージを表示するようにする。
【００３８】
また、「監視線異常」のサブ画面（第１のサブ画面）で「通番」ボタンが押された場合に、「通番一覧」のサブ画面（第２のサブ画面）を表示せず、詳細情報（第３サブ画面）を表示してもよい。
【００３９】
次に、上述した図３、図４のような表示を行うための元となるデータについて、説明する。図３の表示に対応する階層構造に関する基本的なデータは、標準データベースに設定されており、図４の表示に対応する詳細データは、追加データベースに設定され記憶部２３に記憶されている。なお、標準データベースと追加データベースは、１つのデータベースとして集約することも可能である。
【００４０】
図５は、本発明の実施の形態１における火災受信機が有している標準データベースの説明図である。一番左側の欄の「アドレス」は、各端末機器のアドレス情報を示している。図２に示した感知器用中継器Ｃ１１が、アドレス１１に相当している。なお、このアドレスは、火災受信機が感知器または中継器と通信する際に、通信すべき感知器または中継器を特定できるように付与された一意的な番号である。
【００４１】
また、左から２番目の欄の「回線」は、各中継器の有している感知器回線を示している。図２に示した感知器回線Ｌ１、感知器回線Ｌ２が、アドレス１１に対応する回線０１、０２に相当している。なお、この回線番号は、中継器に複数のＡＴＦ感知器を接続するための感知器回線に付与された番号であり、どの感知器回線で火災・異常が発生したか特定するためのものである。
【００４２】
左から３番目の欄の「オプションメッセージ」は、それぞれのアドレスまたは感知器回線に対応するメッセージ情報を示している。なお、この「オプションメッセージ」は、様々な表示を行うときに、アドレス情報・回線番号情報と共に、発生場所がわかりやすいように表示する場所名称等のデータに対応している。
【００４３】
さらに、一番右側の欄「通番」は、接続されているＡＴＦ感知器の登録結果であり、○として表示された通番のＡＴＦ感知器が接続されていることを示している。実際に接続されるＡＴＦ感知器の通番を登録することで、中継器の感知器回線ごとに、下位層の接続状態を特定することができる。
【００４４】
オペレータは、火災受信機に接続される各端末機器、それぞれの中継器に接続される各ＡＴＦ感知器の構成に従って、この標準データベースにデータを設定することとなる。そして、この標準データベースの設定データに基づいて、図３に示した通番一覧の表示が可能となる。
【００４５】
次に、図６は、本発明の実施の形態１における火災受信機が有している追加データベースの説明図である。一番左側の欄の「アドレス」、および左から２番目の欄の「回線」は、先の図５のものと同じである。また、左から３番目の欄の「通番」は、それぞれの感知器回線に接続されたＡＴＦ感知器の通番を示しており、先の図５における通番に対応している。
【００４６】
さらに、一番右側の欄の「オプションメッセージ」は、それぞれの通番に対応して表示させるためのメッセージ情報を示している。オペレータは、各感知器の設置場所に従って、この追加データベースにデータを設定することとなる。そして、この追加データベースの設定データに基づいて、図４に示した、各通番に対応した詳細表示が可能となる。このように、標準データベースのアドレス・回線、ＡＴＦ感知器の通番に対するオプションメッセージが、追加データベース上に設定されている。
【００４７】
従って、標準データベースおよび追加データベースを備えることで、ＡＴＦ感知器の通番（アドレス番号）とともに、設置場所等のメッセージ情報を表示させることができる。この結果、感知器回線単位で異常発生場所を判り易く表示することが可能となる。さらに、ＡＴＦ感知器の設置場所等のメッセージ情報が不要な場合には、追加データベースが不要となるため記憶部の容量を少なくすることができる。
【００４８】
さらに、追加データベースに、各感知器に対応したメッセージ情報が登録されていない場合には、制御部２１は、このメッセージ情報を表示する詳細情報（第３サブ画面）への切り換えを禁止することができる。切り換えの禁止方法としては、詳細情報（第３サブ画面）への切り換えボタンを操作しても反応しないようにしてもよいし、他のボタンなどと違う色などによりボタン操作が禁止されていることを表してもよいし、ボタンを表示しなくてもよい。さらに、表示操作部２２から標準データベースあるいは追加データベース上のデータを編集可能とすることで、メッセージ情報等を現場で容易に編集することができる。
【００４９】
以上のように、実施の形態１によれば、異常発生した感知器を感知器回線単位で表示する際に、それぞれの感知器に固有に割り付けられたメッセージ情報も合わせて表示させることができ、感知器回線単位で異常発生場所を判り易く表示することのできる火災受信機を得ることができる。
【図１】
2010225061.tif 000003
【図２】
2010225061.tif 000004
【図３】
2010225061.tif 000005
【図４】
2010225061.tif 000006
【図５】
2010225061.tif 000007
【図６】
2010225061.tif 000008